(57)【要約】【課題】本考案は、繰り返し清書できるソフト基材を提供する。【解決手段】巻くことができる耐高温ソフト基材であり、一面に、前処理された後、粉体塗装により、繰り返し清書できる清書層が塗布され、もう一面に、繰り返して貼り付くことができる粘着層が設置されるか、両面フィルムが張り付かれ、使用する時、必要とするサイズに切り分けて、品物に貼り付かれることにより、繰り返して清書することができ、より良い実用性や便利性が得られる。【選択図】図３
0003150151.tif 000002
【実用新案登録請求の範囲】
【請求項１】
耐高温であるソフト基材の一面に、粉体塗装により、清書層が設置され、使用する時、必要とするサイズに切れ分けて、品物に貼り付いて、繰り返し清書できる、
ことを特徴とする繰り返し清書できるソフト基材。
【請求項２】
耐高温ソフト基材が、アルミ箔であることを特徴とする請求項１に記載の繰り返し清書できるソフト基材。
【請求項３】
ソフト基材のもう一面に、繰り返して貼り付きの粘着層が設置されることを特徴とする請求項１に記載の繰り返し清書できるソフト基材。
【請求項４】
上記粘着層の表面に、離型紙が貼り付けられることを特徴とする請求項３に記載の繰り返し清書できるソフト基材。
【請求項５】
ソフト基材のもう一面に、両面フィルムが貼り付けられることを特徴とする請求項１に記載の繰り返し清書できるソフト基材。
【請求項６】
ソフト基材のもう一面にも、粉体塗装により、清書層が設置されて、両面とも、繰り返し清書できることを特徴とする請求項１に記載の繰り返し清書できるソフト基材。
【請求項７】
ソフト基材のもう一面に、磁石が設置されることを特徴とする請求項１に記載の繰り返し清書できるソフト基材。
【考案の詳細な説明】
【技術分野】
【０００１】
本考案は、繰り返し清書できる清書基材に関し、特に、張り付くことにより、各種類の品物に固定されるだけでなく、巻くことにより、携帯や保管が便利である繰り返し清書できるソフト基材に関する。
【背景技術】
【０００２】
一般の繰り返し清書できる板は、ホワイトボードがあり、ホワイトボードは、主として、ほうろうワニス板面に、水性筆で清書すると、拭き取り可能の特性を利用して、何度も繰り返し清書できる。一般のホワイトボードは、図１のように、一層の硬質である平滑金属板面と中間層板及び裏板からなる本体１０と、本体１０の周縁に実装された枠２０とからなり、使用する時、一般として、壁に吊り下げるか、移動可能のフレームに設置される。
【０００３】
その全体として、重いから、吊り下げる時、その全体の重量を顧慮することが必要であり、使用するには、色々の制限があり、移動可能なフレームを利用して、場所の変更が容易であるが、その体積が大きいため、移動することが楽ではなく、そのため、その携帯便利性や実用性がよくない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、構造が簡単で、軽量そして巻くことにより、携帯や保管が便利であり、また、繰り返して貼り付いて使用できるため、その実用性や使用便利性が向上される繰り返し清書できるソフト基材を提供する。
【０００６】
本考案の他の目的は、構造が簡単、加工が容易、製造コストが低減される繰り返し清書できるソフト基材を提供する。
【０００７】
本考案の更の他の目的は、その清書層が、粉体塗装により、塗布され、表面の光反射が少なく、清書することや拭き取り等が容易である効果が得られ、そして、拭き取った後、繰り返して印刷やコッピできる繰り返し清書できるソフト基材を提供する。
【０００８】
本考案の更の他の目的は、必要に応じて、適当なサイズに切り分けることができるだけでなく、多様化の造型に切り分けられることもでき、より良い実用性や美観性が得られる繰り返し清書できるソフト基材を提供する。
【課題を解決するための手段】
【０００９】
請求項１の考案は、耐高温であるソフト基材の一面に、粉体塗装により、清書層が設置され、使用する時、必要とするサイズに切れ分けて、品物に貼り付いて、繰り返し清書できる    ことを特徴とする繰り返し清書できるソフト基材である。
【００１０】
請求項２の考案は、耐高温ソフト基材が、アルミ箔であることを特徴とする請求項１に記載の繰り返し清書できるソフト基材である。
【００１１】
請求項３の考案は、ソフト基材のもう一面に、繰り返して貼り付きの粘着層が設置されることを特徴とする請求項１に記載の繰り返し清書できるソフト基材である。
【００１２】
請求項４の考案は、上記粘着層の表面に、離型紙が貼り付けられることを特徴とする請求項３に記載の繰り返し清書できるソフト基材である。
【００１３】
請求項５の考案は、ソフト基材のもう一面に、両面フィルムが貼り付けられることを特徴とする請求項１に記載の繰り返し清書できるソフト基材である。
【００１４】
請求項６の考案は、ソフト基材のもう一面にも、粉体塗装により、清書層が設置されて、両面とも、繰り返し清書できることを特徴とする請求項１に記載の繰り返し清書できるソフト基材である。
【００１５】
請求項７の考案は、ソフト基材のもう一面に、磁石が設置されることを特徴とする請求項１に記載の繰り返し清書できるソフト基材である。
【００１６】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１７】
図２と図３を参照しながら、本考案に係る繰り返し清書できるソフト基材は、円筒状に巻くことができる耐高温アルミ箔ソフト基材１からなり、その一面に、前処理の後、粉体塗装により、繰り返し清書できる白色清書層２（他の色でもよい）が塗布され、もう一面に、繰り返して貼り付ける粘着層３が設置されるか、両面フィルムが張り付かれ、上記粉体塗装は、耐溶剤性塗料に僅かのガラス繊維や炭酸カルシウム（ＣａＣＯ３）が添加さえることからなる粉体塗料を、静電原理によりアルミ箔ソフト基材１の一面に覆って、２００°Ｃでベーキングすることにより行われ、上記粘着層３の表面に、離型紙が貼り付けられる。
【００１８】
本考案によれば、図４乃至図６のように、必要に応じて、所定のサイズに切り分けられることができ、また、多様化の造型に切り分けられることもでき、また、粘着層３や両面フィルムを利用して、様々の壁Ａ、Ｂや板材Ｃ或いは他の品物に貼り付くことができ、これにより、便利型の繰り返し清書板が得られ、繰り返して清書する機能が得られるだけでなく、使用した後、簡単に外すことができ、そして、それを巻くことにより、携帯や保管、そして、重複使用に便利である。
【００１９】
また、図７のように、ノートＤのサイズよりやや小さいサイズに切って、粘着層３や両面フィルムを利用してノートＤの内ページに貼り付くと、繰り返して清書できる機能が発揮でき、これにより、ノートＤに、より優れた実用性が実現される。
【００２０】
また、粘着層３や両面フィルムで粘着したソフト磁石、或いは一般の磁石を利用して、吸着により、簡単に金属品物の表面に固定され、そして、繰り返して清書できる。
【００２１】
図８のように、本考案によれば、円筒状に巻くことができる耐高温アルミ箔ソフト基材１からなってもよく、両面が前処理された後、粉体塗装により、繰り返し清書できる白色清書層２（他の色でもよい）が塗布されることにより、両面が、繰り返し清書できる環境保護の紙になる。
【００２２】
上記の具体的な実施例によると、本考案は、次の利点が得られる。
【００２３】
１、全体の構造が簡単で、軽量そして巻くことにより、携帯や保管が便利であり、また、繰り返して貼り付いて使用できる機能があるため、壁や板材、ノートの内ページ或いは他の品物に貼り付かれて繰り返して清書でき、実用性や使用便利性が向上される。
【００２４】
２、構造が簡単、加工が容易、製造コストが低減されるため、経済利益が向上され、廃棄による廃棄物の量が少なくなり、環境保護に優しくなる。
【００２５】
３、その清書層２は、粉体塗装により塗布されるため、使用する時、表面の光反射が少なくなり、また、清書することや拭き取り等が容易である効果が得られ、そして、拭き取った後、繰り返して印刷やコッピできる。
【００２６】
４、必要に応じて、適当なサイズに切り分けることができるだけでなく、多様化の造型に切り分けられることもでき、より良い実用性や美観性が得られる。
【００２７】
５、その清書層２は、粉体塗装により塗布されるため、清書の筆種類が多くなり、例えば、水性筆やパステル、鉛筆及びチョーク等である。
【００２８】
６、環境保護の紙として、繰り返して使用できるため、より良い環境保護効果が得られる。
【００２９】
そのため、本考案は、より進歩的かつより実用的で、法に従って実用新案登録請求を出願する。
【００３０】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００３１】
【図１】一般のホワイトボードの立体図
【図２】本考案の立体図
【図３】本考案の局部断面図
【図４】本考案の使用概念図
【図５】本考案の他の使用概念図
【図６】本考案の更に他の使用概念図
【図７】本考案の更に他の使用概念図
【図８】本考案の他の実施例の局部断面図
【符号の説明】
【００３２】
１０  本体
２０  枠
１  ソフト基材
２  清書層
３  粘着層
Ａ  壁
Ｂ  壁
Ｃ  板材
Ｄ  ノート
【図１】
0003150151.tif 000003
【図２】
0003150151.tif 000004
【図３】
0003150151.tif 000005
【図４】
0003150151.tif 000006
【図５】
0003150151.tif 000007
【図６】
0003150151.tif 000008
【図７】
0003150151.tif 000009
【図８】
0003150151.tif 000010